(57)【要約】      （修正有）【課題】出張者から旅行者まで、年齢、性別、体格に影響を受けない、携行に便利なベルト型の安眠枕形成を獲得できる、枕用携帯型装着寝具を提供する。【解決手段】枕用携帯型装着寝具１には、頭を支持する部分の質感を、好みの素材に変えることを目的に、袋構造１０を形成しているが、この中には様々な材質の枕素材である、そば殻、小豆、塩化ビニールパイプ、マイクロビーズ、鳥羽毛等を封入することを目的に袋状構造を採用し、素材の変更も簡便に行えるよう、ジッパー２０を装着したものである。【選択図】図３
0003118977.tif 000002
【実用新案登録請求の範囲】
【請求項１】
出張時及び旅行中に携帯し、旅館及びホテル等に常備する枕に使用するもので、宿泊先で常備されている寝具の枕（まくら）に装着することを目的とする付属寝具類であって、旅館及びホテル等に常備する枕にベルト状枕用携帯型装着寝具を巻き付け、好みの硬さ、高さを確保し、日常使用する自宅の枕と同等の質感、同等の感触を確保することを特徴とする、ベルト状枕用携帯型装着寝具
【請求項２】
請求項１の、ベルト状枕用携帯型装着寝具には、ベルトの中間部に様々な材質の枕素材である、そば殻、小豆、塩化ビニールパイプ、マイクロビーズ、鳥羽毛等を収納できる、袋構造を形成し、人の頭部を支持する部分の質感を選択確保し、多様な素材を収納する袋状構造を特徴とする、ベルト状枕用携帯型装着寝具
【考案の詳細な説明】
【技術分野】
【０００１】  本考案は、出張時及び旅行中に携帯し、旅館及びホテルに常備された寝具である枕（まくら）に装着使用する付属寝具類に関するものである。
【背景技術】
【０００２】  従来、出張時及び旅行中に持ち歩く、携帯用枕に関しては、使用時、幾つかの気室を有する風船状枕を、人の呼気により膨らませ、枕の形状を獲得して使用する型式のもの、または、日常使用する枕そのものを持参する等の方法より執り行うものであった。【０００３】  しかし、携帯用枕には安眠を確保するに足りる、硬さ、高さには疑問が多く、しかも、その耐久性及び質感の維持には問題があった。【０００４】  また、出張時及び旅行中に持ち歩くには、日常使用する枕では、携行品の妨げになり、実用性の面での問題がある。
【考案の開示】
【考案が解決しようとする課題】
【０００５】  従来考案例によると、旅館及びホテルに常備されている枕を使用しないことを前提にしているため、日常使用する枕の硬さ、高さ、質感等を目的とする機能は充足されていないなど欠点がある。
【課題を解決するための手段】
【０００６】  前記課題を解決するため、各地の旅館及びホテルに常備されている、枕を検証してみたが、枕の素材は、和風旅館における枕の素材は、そば殻、小豆等の豆類、人工繊維の詰物等が多く、その硬さ、高さ、質感等も不均一であった。【０００７】また、ビジネスホテル等の西洋型宿泊施設における枕の素材は、鳥の羽毛、人工繊維の詰物、塩化ビニールをパイプ上に形成した詰物、マイクロビーズ上の詰物が多く、その硬さ、高さ、質感等も不均一である上、枕カバーが装備されていないことが多く、そのための不快感を生じている。【０００８】従って、旅館及びホテルに常備されている枕を、自分の好みに合う、硬さ、高さ、質感等を獲得するための方法を模索していたが、本考案の枕用携帯型装着寝具は常備まくらを利用し、簡便な方法で装着でき、しかも、枕の硬さ、高さ、質感等を簡便に確保することができ、また、持ち運びに際し、携行物の制限を受けない、携帯のし易さも獲得することができた。
【考案の効果】
【０００９】  本考案によると、出張時及び旅行中に、旅館及びホテルに常備されている枕が、日常使用する枕と使用感において乖離があっても、簡便な方法で、自分の好みの枕の硬さ、高さ、質感等を確保することが可能となり、安眠への大きな効果を獲得できた。
【考案を実施するための最良の形態】
【実施例】
【００１０】  以下、本考案の実施形態を図を参照して説明する。本考案に係る、枕用携帯型装着寝具１は、図１に示すとおり、旅館及びホテルに常備されている枕Ｘに対して、就寝の際、簡便な方法で、自分の好みの硬さ、高さ、質感等に確保することを目的に、装着することを可能とする。【００１１】図２で示すのは、本考案の枕用携帯型装着寝具１を枕側に接する部分を上にして、伸展した状態を示す斜視図であるが、旅館及びホテルに常備されている枕Ｘを就寝の際、本考案の枕用携帯型装着寝具１を図２の状態で広げ、旅館及びホテルに常備されている枕Ｘを上に置き、枕用携帯型装着寝具１の両端を持ち、枕Ｘを巻くように締め上げ、枕用携帯型装着寝具１の片側端のマジックテープ部３１を、図３の枕用携帯型装着寝具１の片側端マジックテープ受部３０に接続固定し、好みの硬さ、高さを獲得するものである。【００１２】図３で示すように、本考案の枕用携帯型装着寝具１には、頭を支持する部分の質感を、好みの素材に変えることを目的に、袋構造１０を形成しているが、この中には様々な材質の枕素材である、そば殻、小豆、塩化ビニールパイプ、マイクロビーズ、鳥羽毛等を封入することを目的に袋状構造を採用し、素材の変更も簡便に行えるよう、ジッパー２０を装着したものである。
【産業上の利用可能性】
【００１３】  出張の多いビジネスマンや旅行者が抱える、大きな悩みが、旅館及びホテル等に常備する枕が、睡眠の妨げになるような硬さや高さであったり、枕カバーが装備されていないための不快又は不潔感があったり、質感等があまりにも日常から乖離した質感であることが把握でき、しかも、実感するものであったが、本考案は、出張者から旅行者まで、年齢、性別、体格に影響を受けない、携行に便利なベルト型の安眠枕形成を獲得できる、枕用携帯型装着寝具を提供することができた。【００１４】  また、本考案の枕用携帯型装着寝具１は自宅に帰ってから、枕素材２０を外し、容易に洗濯できることから、絶えず清潔な状態で使用することが可能となった。
【図面の簡単な説明】
【００１５】
【図１】旅館及びホテル等に常備する枕斜視図Ａ及びこの枕に本考案の枕用携帯型装着寝具を装着した状態を示す斜視図Ｂ
【図２】本考案の枕用携帯型装着寝具を枕側に接する部分を上に伸展した状態を示す斜視図
【図３】本考案の枕用携帯型装着寝具を頭部が接する部分を上に伸展した状態を示す斜視図
【符号の説明】
【００１６】Ａ    旅館及びホテル等に常備する枕で通常状態
Ｂ    旅館及びホテル等に常備する枕に本考案の枕用携帯型装着寝具を装着した状態
Ｘ    旅館及びホテル等に常備する枕
１    本考の枕用携帯型装着寝具
１０  好みの枕の質感を獲得するための、枕素材を封入する袋構造部
２０  枕素材（そば殻、小豆、塩化ビニールパイプ、マイクロビーズ、羽毛等）の封入固持のためのジッパー
３０  本考案枕用携帯型装着寝具を旅館及びホテル等に常備する枕に保持固定するマジックテープ受部
３１  本考案枕用携帯型装着寝具を旅館及びホテル等に常備する枕に保持固定するマジックテープ部
【図１】
0003118977.tif 000003
【図２】
0003118977.tif 000004
【図３】
0003118977.tif 000005
【手続補正書】
【提出日】平成17年8月29日(2005.8.29)
【手続補正１】
【補正対象書類名】実用新案登録請求の範囲
【補正対象項目名】全文
【補正方法】変更
【補正の内容】
【実用新案登録請求の範囲】
【請求項１】
ベルト状の形状を有し、ベルト中央部には枕の質感を変えることができる、袋状部分を有する、ベルト状枕用携帯型装着寝具であり、出張時及び旅行中に携帯し、旅館及びホテル等に常備する枕に巻きつけ、使用するもので、宿泊先で常備されている寝具の枕（まくら）に巻きつけ装着することにより、適度な高さ、硬度を獲得すること特徴とする付属寝具類
【手続補正書】
【提出日】平成17年10月31日(2005.10.31)
【手続補正１】
【補正対象書類名】実用新案登録請求の範囲
【補正対象項目名】全文
【補正方法】変更
【補正の内容】
【実用新案登録請求の範囲】
【請求項１】
ベルト状の形状を有し、ベルト中央部には枕の質感を変えることができる、袋状部分を有する、ベルト状枕用携帯型装着寝具であり、出張時及び旅行中に携帯し、旅館及びホテル等に常備する枕に巻きつけ、使用するもので、宿泊先で常備されている寝具の枕（まくら）に巻きつけ装着することにより、適度な高さ、硬度を獲得することを特徴とするベルト状枕用携帯型装着寝具。
【手続補正２】
【補正対象書類名】明細書
【補正対象項目名】考案の名称
【補正方法】変更
【補正の内容】
【書類名】                明細書
【考案の名称】      ベルト状枕用携帯型装着寝具